(57)【要約】      （修正有）【課題】メンテナンスが不要な生垣の代用品ができ、設置してすぐに目隠しになり、目隠しのために植えていた植木のスペースが使えるようになる。【解決手段】地面に設置したコンクリート製のフェンスブロック７に縦筋１を設置してモルタルで固め、横筋２を鉄筋用結束線で結束し、幅止筋３を最上段の横筋２に鉄筋用結束線で結束して鉄筋籠を造る。そして菱形金網４を縦筋１および横筋２に鉄筋用結束線で結束し、菱形金網４と幅止筋３にプラスチック製のマット状人工緑化材５をインシュロック６にて太鼓貼りすることにより、即日に安価で好きな形にできる人工緑化材目隠し塀を造ることができる。【選択図】図１
0003117403.tif 000002
【実用新案登録請求の範囲】
【請求項１】
地面に設置したコンクリート製のフェンスブロックに縦筋を設置してモルタルで固め、横筋を鉄筋用結束線で結束し、幅止筋を最上段の横筋に鉄筋用結束線で結束して鉄筋籠を造る。そして菱形金網を縦筋および横筋に鉄筋用結束線で結束し、菱形金網と幅止筋にプラスチック製のマット状人工緑化材をインシュロックにて太鼓貼りすることを特徴とする生垣の代用品。
【請求項２】
下部がコンクリートブロックの格子塀のコンクリートブロック縦目地に合わせて縦筋を取り付け、プレートと貫通ボルトナットにより固定する。そして横筋と幅止筋で格子塀を囲うように鉄筋用結束線で結束して鉄筋籠を造り、菱形金網を鉄筋用結束線で結束し、それにマット状人工緑化材をインシュロックにて太鼓貼りすることを特徴とする人工緑化材目隠し塀。
【請求項３】
公共製品ネットフェンスを柱がついている面を裏側にして設置してから、上下のアングル梁材の内側にマット状人工緑化材を菱形金網にインシュロックにて取り付けることを特徴とする人工緑化材目隠し塀。
【請求項４】
単管パイプで組み立てた仮囲い骨組みに縦筋、横筋および菱形金網を鉄筋用結束線で結束し、それにマット状人工緑化材をインシュロックで取り付けることを特徴とする人工緑化材仮囲い。
【請求項５】
バルコニー手摺格子の両面または片面にステンレス金網をステンレス鋼線で結束し、それにマット状人工緑化材をインシュロックにて両面または片面に取り付けることを特徴とする人工緑化材目隠し。
【請求項６】
壁面に下地を組んで人工緑化壁面を造る。壁面にスチールやステンレスの取り付け枠を取り付け、スチールやステンレスの金網を溶接にて固定し、それにインシュロックでマット状人工緑化材を取り付けることを特徴とする人工壁面緑化。
【考案の詳細な説明】
【技術分野】
【０００１】
この考案は、フェンスや仮囲いなどの面に使う人工緑化材に関するものであり、鉄筋籠を組んで菱形金網を貼った上に、インシュロックでマット状の人工緑化材を太鼓貼りするものである。
【０００２】
この考案は、バルコニー手摺や壁面などの面に使う人工緑化材に関するものであり、ステンレス金網を貼った上に、インシュロックでマット状の人工緑化材を貼るものである。
【背景技術】
【０００３】
公共製品ネットフェンスが数多く開示されているが、この考案は目隠しになり、厚みのある自然の生垣のようなフェンスを可能にした。
【考案の開示】
【考案が解決しようとする課題】
【０００４】
生垣は育つまで時間がかかり、メンテナンスに手がかかり、ブロック塀では固すぎ、格子塀では目隠しにならない。また目隠しで植えている植栽のスペースを他に使いたいなどの課題を解決する。
【０００５】
ネットフェンスに何か化粧をしたい、仮囲いを厚みのある緑にしたい、バルコニー格子手摺をメンテナンスのかからない植物で目隠ししたい、などの課題を解決する。
【０００６】
簡単な壁面緑化をしたいが、壁面緑化には土壌や水が必要であり、取り付ける下地や設備が大掛かりなものになり、メンテナンスもしなければならない。また生育にはむらがあり、均一な緑化ができないという課題を解決する。
【課題を解決するための手段】
【０００７】
この考案は、鉄筋や金網などと人工緑化材から成り、コンクリート製のフェンスブロックを基礎として鉄筋籠を組んで菱形金網を貼った上に、インシュロックでプラスチック製のマット状人工緑化材を太鼓貼りすることにより、自然の生垣のような厚みのある緑葉のフェンスを即日に安価で好きな形に造ることができる。
【０００８】
ネットフェンス、仮囲い、バルコニー手摺などに人工緑化材を貼り付けて目隠しや化粧をすることができる。
【０００９】
壁面にインシュロックを留めるための金網の下地を造り、それにマット状人工緑化材をインシュロックで取り付けて人工の壁面緑化とすることができる。
【考案の効果】
【００１０】
メンテナンスが不要な生垣の代用品ができ、設置してすぐに目隠しになり、目隠しのために植えていた植木のスペースが使えるようになる。
【００１１】
ネットフェンス、仮囲い、バルコニー手摺などを見かけは自然と同じような緑葉の化粧ができる。
【００１２】
土壌や水が不要でメンテナンスする必要がなく、壁面を見かけは自然と同じような緑化が簡単に安価でできる。
【考案を実施するための最良の形態】
【００１３】
鉄筋と菱形金網の特性により、固さが柔軟で、安価で自由な形状が可能になり、自由なところにマットを結束できて、自然と同じような緑葉のフェンスが可能になった。
【実施例１】
【００１４】
図１は生垣の代用品として使用する場合の実施例を示す。地面に設置したコンクリート製のフェンスブロック７に縦筋１を設置してモルタルで固め、横筋２を鉄筋用結束線で結束し、幅止筋３を最上段の横筋２に鉄筋用結束線で結束して鉄筋籠を造る。そして菱形金網４を縦筋１および横筋２に鉄筋用結束線で結束し、菱形金網４と幅止筋３にマット状人工緑化材５をインシュロック６にて太鼓貼りすることにより人工緑化材目隠し塀とすることができる。マット状人工緑化材５とインシュロック６は拡大図を図７に示す。マット状人工緑化材５はプラスチック格子の上にプラスチックの葉を差込んであり、大きさは２５ｃｍ角、厚さは４ｃｍ、重さは約１５０ｇである。
【００１５】
図２は代案１として、下部がコンクリートブロックの格子塀を人工緑化材で囲う場合の実施例を示す。コンクリートブロック８の縦目地に合わせて縦筋１を取り付け、プレート１０と貫通ボルトナット１１により固定する。そして横筋２と幅止筋３で格子塀９を囲うように鉄筋用結束線で結束して鉄筋籠を造り、菱形金網４を鉄筋用結束線で結束し、それにマット状人工緑化材５をインシュロック６にて太鼓貼りすることにより人工緑化材目隠し塀とすることができる。
【００１６】
図３は代案２として、公共製品ネットフェンスの面に人工緑化材を取り付ける場合の実施例を示す。公共製品ネットフェンス１２を柱がついている面を裏側にして設置してから、上下のアングル梁材の内側にマット状人工緑化材５を菱形金網４にインシュロック６にて取り付けることにより人工緑化材目隠し塀とすることができる。マット状人工緑化材５を予め背中あわせに貼り合わせたものを取り付ければ、裏面も金網越しにマット状人工緑化材５が化粧になる。
【００１７】
図４は代案３として、建設現場の仮囲い万能板の替わりに人工緑化材を使用する場合の実施例を示す。単管パイプ１３で組み立てた仮囲い骨組みに縦筋１、横筋２および菱形金網４を鉄筋用結束線で結束し、それにマット状人工緑化材５をインシュロック６で取り付けることにより人工緑化材仮囲いとすることができる。マット状人工緑化材５は使用が終われば撤去、回収し使えるものは転用する。
【００１８】
図５は代案４として、バルコニー手摺格子面に人工緑化材を取り付ける場合の実施例を示す。バルコニー手摺格子１４の両面または片面にステンレス金網１５をステンレス鋼線で結束し、それにマット状人工緑化材５をインシュロック６にて両面または片面に取り付けることにより人工緑化材目隠しとすることができる。
【００１９】
図６は代案５として、壁面に下地を組んで人工緑化壁面を造る場合の実施例を示す。壁面１にスチールやステンレスの取り付け枠２を取り付け、スチールやステンレスの金網３を溶接にて固定し、それにインシュロック６でプラスチック製のマット状人工緑化材５を取り付けることにより、簡単に壁面を人工緑化することができる。
【産業上の利用可能性】
【００２０】
バルコニー手摺格子が金網をひっかけて取り付けられる構造になっていれば、人工緑化材を購入者が自分で簡単に取り付けることができる。
【図面の簡単な説明】
【００２１】
【図１】生垣の代用品とする人工緑化フェンスの作業手順ごとに分解した透視図
【図２】代案１として、下部がコンクリートブロックの格子塀を人工緑化材で囲う人工緑化フェンスの作業手順ごとに分解した透視図
【図３】代案２として、公共製品ネットフェンスの面に人工緑化材を取り付ける人工緑化フェンスの作業手順ごとに分解した透視図
【図４】代案３として、建設現場の仮囲い万能板の替わりに人工緑化材を使用する場合の作業手順ごとに分解した透視図
【図５】代案４として、バルコニー手摺格子面に人工緑化材を取り付ける場合の作業手順ごとに分解した透視図
【図６】壁面に下地を組んで人工緑化壁面を造る場合の作業手順ごとに分解した透視図
【図７】半分の緑葉を取り外した状態のマット状人工緑化材とインシュロックの拡大図
【符号の説明】
【００２２】
１    縦筋
２    横筋
３    幅止筋
４    菱形金網
５    マット状人工緑化材
６    インシュロック
７    フェンスブロック
８    コンクリートブロック
９    格子塀
１０  取り付けプレート
１１  貫通ボルトナット
１２  公共製品ネットフェンス
１３  単管パイプ
１４  バルコニー手摺格子
１５  ステンレス金網
【図１】
0003117403.tif 000003
【図２】
0003117403.tif 000004
【図３】
0003117403.tif 000005
【図４】
0003117403.tif 000006
【図５】
0003117403.tif 000007
【図６】
0003117403.tif 000008
【図７】
0003117403.tif 000009
【手続補正書】
【提出日】平成17年4月15日(2005.4.15)
【手続補正１】
【補正対象書類名】実用新案登録請求の範囲
【補正対象項目名】請求項１
【補正方法】変更
【補正の内容】
【請求項１】
地面に設置したコンクリート製のフェンスブロックに縦筋を設置してモルタルで固め、横筋を鉄筋用結束線で結束し、幅止筋を最上段の横筋に鉄筋用結束線で結束して鉄筋籠を造り、菱形金網を縦筋および横筋に鉄筋用結束線で結束し、菱形金網と幅止筋にプラスチック製のマット状人工緑化材をインシュロックにて太鼓貼りすることを特徴とする生垣の代用品。
【手続補正２】
【補正対象書類名】実用新案登録請求の範囲
【補正対象項目名】請求項２
【補正方法】変更
【補正の内容】
【請求項２】
下部がコンクリートブロックの格子塀のコンクリートブロック縦目地に合わせて縦筋を取り付け、プレートと貫通ボルトナットにより固定し、横筋と幅止筋で格子塀を囲うように鉄筋用結束線で結束して鉄筋籠を造り、菱形金網を鉄筋用結束線で結束し、それにマット状人工緑化材をインシュロックにて太鼓貼りすることを特徴とする人工緑化材目隠し塀。
【手続補正３】
【補正対象書類名】実用新案登録請求の範囲
【補正対象項目名】請求項３
【補正方法】変更
【補正の内容】
【請求項３】
ネットフェンスを柱がついている面を裏側にして設置してから、上下のアングル梁材の内側にマット状人工緑化材を菱形金網にインシュロックにて取り付けることを特徴とする人工緑化材目隠し塀。
【手続補正４】
【補正対象書類名】実用新案登録請求の範囲
【補正対象項目名】請求項６
【補正方法】変更
【補正の内容】
【請求項６】
壁面に下地を組んで人工緑化壁面を造り、壁面にスチールやステンレスの取り付け枠を取り付け、スチールやステンレスの金網を溶接にて固定し、それにインシュロックでマット状人工緑化材を取り付けることを特徴とする人工壁面緑化。